【手続補正書】
【提出日】平成19年3月5日(2007.3.5)
【手続補正１】
【補正対象書類名】明細書
【補正対象項目名】特許請求の範囲
【補正方法】変更
【補正の内容】
【特許請求の範囲】
【請求項１】  集客施設場所に関する案内情報を電子処理するシステムであって、
前記案内情報を電子案内情報にしてデータ配信する情報配信装置と、
前記情報配信装置からデータ配信された電子案内情報を記録再生する携帯端末装置とを備え、
前記携帯端末装置で電子案内情報を映像表示又は／及び音声出力するようにしたことを特徴とする電子案内情報処理システム。
【請求項２】  前記電子案内情報を既存の放送基盤又は／及び通信基盤を利用して前記携帯端末装置に配信するようにしたことを特徴とする請求項１に記載の電子案内情報処理システム。
【請求項３】  前記携帯端末装置に情報記録媒体が装着され、
前記情報記録媒体には集客施設場所に関する電子案内情報が記録されることを特徴とする請求項１に記載の電子案内情報処理システム。
【請求項４】  前記情報記録媒体は既存の販売基盤を使用して提供されることを特徴とする請求項３に記載の電子案内情報処理システム。
【請求項５】  入場口及び出場口以外の出入りが制限される集客施設場所に関する電子案内情報を処理するシステムであって、
前記電子案内情報を貸し出しする情報貸出装置と、
前記情報貸出装置から貸し出された電子案内情報を記録再生する携帯端末装置と、
前記携帯端末装置に貸し出した前記電子案内情報を回収する情報回収装置とを備え、
前記電子案内情報は入場口で読出し許可され、出場口で読出し禁止するような処理を施すようになされることを特徴とする電子案内情報処理システム。
【請求項６】  前記集客施設場所に関する電子案内情報が前記情報貸出装置から携帯端末装置へ貸し出される場合であって、
前記情報貸出装置から携帯端末装置へのダウンロード時には予め前記電子案内情報が暗号化されており、入場口で前記電子案内情報を解凍するようになされることを特徴とする請求項５に記載の電子案内情報処理システム。
【請求項７】  前記電子案内情報が回収される場合であって、
出場口で前記電子案内情報を消去すると共に、情報利用者の集客施設場所における利用情報及び／又は集客施設場所に関する宣伝広告情報を前記携帯端末装置に書き込むようになされることを特徴とする請求項５に記載の電子案内情報処理システム。
【請求項８】  少なくとも、前記集客施設場所に当該エリア内で有効な特定無線放送手段を設け、
前記特定無線放送手段から携帯端末装置に対して電子案内情報を配信するようにしたことを特徴とする請求項５に記載の電子案内情報処理システム。
【請求項９】  前記携帯端末装置には、
前記特定無線放送手段からの無線放送信号を受信する受信手段が設けられることを特徴とする請求項５に記載の電子案内情報処理システム。
【請求項１０】  前記携帯端末装置に前記受信手段が設けられていない場合であって、
前記集客施設場所の入場口で前記受信手段が貸し出されることを特徴とする請求項９に記載の電子案内情報処理システム。
【請求項１１】  前記受信手段により受信した電子案内情報は、既に前記携帯端末装置に蓄積されている電子案内情報と関連付けられるようにしたことを特徴とする請求項９に記載の電子案内情報処理システム。
【請求項１２】  前記携帯端末装置には、
人工衛星を使用して緯度・経度・高度を測定することにより当該携帯端末装置自身の位置を特定する位置測定手段が設けられることを特徴とする請求項５に記載の電子案内情報処理システム。
【請求項１３】  前記携帯端末装置に前記位置測定手段が設けられていない場合であって、
前記集客施設場所の入場口で前記位置測定手段が貸し出されることを特徴とする請求項１２に記載の電子案内情報処理システム。
【請求項１４】  前記位置測定手段より得られた測位情報は、既に前記携帯端末装置に蓄積されている前記集客施設場所に係る地図情報と関連付けられるようにしたことを特徴とする請求項１２に記載の電子案内情報処理システム。
【請求項１５】  集客施設場所に関する案内情報を情報利用者にデータ配信する装置であって、
前記案内情報に関する電子情報内容を一群のデータ列に構築して搬送用の信号に挿入するデータ挿入部と、
前記データ挿入部によりデータ列を構築挿入された搬送用の信号を情報利用者の携帯端末装置に送信する送信部とを備えることを特徴とする情報配信装置。
【請求項１６】  前記データ列を既存の放送基盤又は通信基盤を使用して配信するようにしたことを特徴とする請求項１５に記載の情報配信装置。
【請求項１７】  前記データ列は、
前記放送基盤で採用されるテレビ放送信号の垂直ブランキング期間に多重して伝送するようなされることを特徴とする請求項１６に記載の情報配信装置。
【請求項１８】  集客施設場所に関する電子案内情報を取得して処理する装置であって、
前記電子案内情報を受信して蓄積し、情報利用者の情報操作に応じて前記電子案内情報を非同期に読み出すと共に、該電子案内情報を映像表示又は／及び音声出力するようにしたことを特徴とする携帯端末装置。
【請求項１９】  前記電子案内情報に関する操作情報を入力するために操作される操作部と、
前記電子案内情報を受信する受信部と、
前記受信部により受信された電子案内情報を記憶する不揮発性の記憶装置と、
前記操作部による操作情報に応じて前記記憶装置から電子案内情報を読み出すと共に、前記電子案内情報を情報処理して映像表示制御をする制御装置とを有することを特徴とする請求項１８に記載の携帯端末装置。
【請求項２０】  前記制御装置は、
前記電子案内情報を処理して３次元映像からなる集客施設場所に関する映像の表示制御をすることを特徴とする請求項１９に記載の携帯端末装置。
【請求項２１】  前記制御装置に通信モデムが接続され、
既存の通信基盤を利用して配信される前記電子案内情報を受信するようになされることを特徴とする請求項１９に記載の携帯端末装置。
【請求項２２】  前記制御装置は、
前記集客施設場所に関する電子案内情報が貸し出される場合であって、
ダウンロード時に予め暗号化された前記電子案内情報を解凍するようになされることを特徴とする請求項１９に記載の携帯端末装置。
【請求項２３】  前記制御装置は、
前記集客施設場所に関する電子案内情報が回収される場合であって、
前記電子案内情報を消去すると共に、情報利用者の集客施設場所での利用情報及び／又は集客施設場所に関する宣伝広告情報を前記記憶装置に書き込むようになされることを特徴とする請求項１９に記載の携帯端末装置。
【請求項２４】  前記制御装置は、
前記集客施設場所に当該エリア内でのみ有効な特定無線放送手段を設けられる場合であって、
前記特定無線放送手段から電子案内情報を前記受信部で受信するようにしたことを特徴とする請求項１９に記載の携帯端末装置。
【請求項２５】  前記受信部により受信した電子案内情報は、既に前記記憶
装置に蓄積されている電子案内情報と関連付けられるようにしたことを特徴とする請求項２４に記載の携帯端末装置。
【請求項２６】  前記制御装置には位置測定手段が接続され、
人工衛星を使用して緯度・経度・高度を測定することにより当該携帯端末装置自身の位置を特定するようになされることを特徴とする請求項１９に記載の携帯端末装置。
【請求項２７】  前記位置測定手段より得られた測位情報は、既に前記記憶装置に蓄積されている前記集客施設場所に係る地図情報と関連付けられるようにしたことを特徴とする請求項１９に記載の携帯端末装置。
【請求項２８】  集客施設場所に関する案内情報を電子処理する方法であって、
情報提供者側で、前記案内情報に基づいて電子案内情報を作成すると共に、前記電子案内情報を情報利用者に係る携帯端末装置にデータ配信し、
情報利用者側では、データ配信されてくる前記電子案内情報を取得し、
取得された前記電子案内情報を映像表示又は／及び音声出力するようにしたことを特徴とする電子案内情報処理方法。
【請求項２９】  入場口及び出場口以外の出入りが制限される集客施設場所に関する電子案内情報を処理する方法であって、
前記電子案内情報を入場口で情報利用者に係る携帯端末装置へ貸し出し、
貸し出された前記電子案内情報を出場口で前記携帯端末装置から回収することを特徴とする電子案内情報処理方法。
【手続補正２】
【補正対象書類名】明細書
【補正対象項目名】００９２
【補正方法】変更
【補正の内容】
【００９２】
この例では３つのカテゴリーが準備されている。ショップ・レストラン検索ガイド情報処理（１）、アトラクション検索ガイド情報処理（２）及びイエローページ検索ガイド情報処理（３）などが準備されている。各々の情報処理ではその下位階層としてアルファベット順による全店舗の一覧表示、検索方針の選択、選択方針内における個別店舗の表示、その個別店舗の詳細ガイド情報など表示するようになされる。この他に、メモリカード２０２を装着してゲームデータＤ０２を表示制御するようになされる。
【手続補正３】
【補正対象書類名】明細書
【補正対象項目名】０１１６
【補正方法】変更
【補正の内容】
【０１１６】
この例ではショップ・レストラン検索ガイド情報処理（１）、アトラクション検索ガイド情報処理（２）及びイエローページ検索ガイド情報処理（３）などの３つのカテゴリーが準備されている。各々の情報処理ではその下位階層としてアルファベット順による全店舗の一覧表示、検索方針の選択、選択方針内における個別店舗の表示、その個別店舗の詳細ガイド情報などを表示するようになされる。
【手続補正４】
【補正対象書類名】明細書
【補正対象項目名】０１２０
【補正方法】変更
【補正の内容】
【０１２０】
ここで、ディレクトリを先に選択した場合にはステップＦ４でショップ・レストラン検索ガイド情報処理（１）又は（１）以外の検索ガイド情報処理のいずれかのカテゴリーが選択されるのを待つ。情報利用者がカテゴリー（１）を選択した場合にはショップ・レストラン検索ガイド情報処理がなされる。例えば、図１２のサブルーチンをコールしてそのステップＧ１のデフォルトでアルファベット順による全店舗の一覧が表示される。
【手続補正５】
【補正対象書類名】明細書
【補正対象項目名】０１２２
【補正方法】変更
【補正の内容】
【０１２２】
そして、ステップＧ６に移行してガイド情報の検索処理を継続するかが判断される。この際の判断は情報利用者である。ガイド情報の検索を継続する場合はステップＧ２に戻って検索を繰り返す。このガイド情報の検索から抜け出す場合はメインルーチンのステップＦ５にリターンする。その後、ステップＦ６に移行してショップ・レストラン検索ガイド情報処理（１）を継続するかが判断される。この際の判断は情報利用者である。この検索ガイド情報処理（１）を継続する場合はステップＦ５に戻って情報処理を繰り返す。検索ガイド情報処理（１）から抜け出す場合はステップＦ２に戻る。
【手続補正６】
【補正対象書類名】明細書
【補正対象項目名】０１２３
【補正方法】変更
【補正の内容】
【０１２３】
また、ステップＦ４で（１）以外のカテゴリーが選択された場合には、ステップＦ７に移行してアトラクション検索ガイド情報処理（２）又はイエローページ検索ガイド情報処理（３）のいずれかが選択されるのを待つ。情報利用者がカテゴリー（２）を選択した場合にはステップＦ８に移行してアトラクション検索ガイド情報処理がなされる。そして、ステップＦ９に移行してアトラクション検索ガイド情報処理（２）を継続するかが判断される。この際の判断は情報利用者である。この検索ガイド情報処理（２）を継続する場合はステップＦ８に戻って情報処理を繰り返す。検索ガイド情報処理（２）から抜け出す場合はステップＦ２に戻る。
【手続補正７】
【補正対象書類名】明細書
【補正対象項目名】０１２４
【補正方法】変更
【補正の内容】
【０１２４】
更に、ステップＦ７で情報利用者がカテゴリー（３）を選択した場合にはステップＦ１０に移行してイエローページ検索ガイド情報処理がなされる。そして、ステップＦ１１に移行してイエローページ検索ガイド情報処理（３）を継続するかが判断される。この際の判断は情報利用者である。この検索ガイド情報処理（３）を継続する場合はステップＦ１０に戻って情報処理を繰り返す。検索ガイド情報処理（３）から抜け出す場合はステップＦ２に戻る。
【手続補正８】
【補正対象書類名】図面
【補正対象項目名】図１０
【補正方法】変更
【補正の内容】
【図１０】
2002123640.tif 000001
【手続補正９】
【補正対象書類名】図面
【補正対象項目名】図１１
【補正方法】変更
【補正の内容】
【図１１】
2002123640.tif 000002